(57)【要約】【課題】丈夫で製造容易な十手型護身用具を提供する。【解決手段】十手本体２と鍔３と警笛４とを有する。十手本体２は１本の金属棒が折り返されて折返し部１１を挟んで細長い棒身部１２と棒身部１２より短い鉤側部１３とを有する。金属棒は、異形棒鋼から成る。棒身部１２の折返し部側と鉤側部１３の折返し部側とが折り重ねられて柄１４を構成する。鉤側部１３は、柄１４より先端側で、棒身部１２との間に刃物を挟むことが可能に、棒身部１２から間隔をあけて開いた鉤部１６を構成する。棒身部１２の先端部には、孫の手部１７または靴べら部１８を有する。鍔３は、柄１４と鉤部１６との境界付近で棒身部１２と鉤側部１３との周囲に設けられる。【選択図】図１
0003170931.tif 000002
【実用新案登録請求の範囲】
【請求項１】
１本の金属棒が折り返されて折返し部を挟んで細長い棒身部と前記棒身部より短い鉤側部とを有し、前記棒身部の折返し部側と前記鉤側部の折返し部側とが折り重ねられて柄を構成し、前記鉤側部は前記柄より先端側で前記棒身部との間に刃物を挿入可能に前記棒身部から間隔をあけて開いた鉤部を構成することを、特徴とする十手型護身用具。
【請求項２】
前記柄と前記鉤部との境界付近で前記棒身部と前記鉤側部との周囲に鍔が設けられ、前記柄は折り重ねられた前記棒身部と前記鉤側部との間に刃物の刃を弾力的に挟み込むことが可能な挟込み部を有することを、特徴とする請求項１記載の十手型護身用具。
【請求項３】
前記棒身部の先端部に、断面Ｊ字状またはＬ字状に曲げられた孫の手部または薄く広げられた靴べら部を有することを特徴とする請求項１または２記載の十手型護身用具。
【請求項４】
前記金属棒は異形棒鋼から成り、警笛が取り付けられていることを特徴とする請求項１、２または３記載の十手型護身用具。
【考案の詳細な説明】
【技術分野】
【０００１】
本考案は、刃物を持った暴漢から身を守るための十手型護身用具に関する。
【背景技術】
【０００２】
従来、ナイフや包丁などの刃物を持った暴漢が襲ってきたとき身を守るための護身用具として、折りたたみ式の鍔を有する鍔付警棒がある（例えば、特許文献１参照）。この鍔付警棒は、警棒を刀剣のようにして使うことができ、刃物で襲われたときには、鍔を起こして刃物を防ぐことができるものである。
【先行技術文献】
【特許文献】
【０００３】
【特許文献１】特開平５−３０６８９７号公報
【考案の概要】
【考案が解決しようとする課題】
【０００４】
しかしながら、特許文献１に記載の鍔付警棒は、折りたたみ式の鍔が可動式のため、壊れやすく、また、製造しにくいという課題があった。
【０００５】
本考案は、このような課題に着目してなされたもので、丈夫で製造容易な十手型護身用具を提供することを目的とする。
【課題を解決するための手段】
【０００６】
上記目的を達成するために、本考案に係る十手型護身用具は、１本の金属棒が折り返されて折返し部を挟んで細長い棒身部と前記棒身部より短い鉤側部とを有し、前記棒身部の折返し部側と前記鉤側部の折返し部側とが折り重ねられて柄を構成し、前記鉤側部は前記柄より先端側で前記棒身部との間に刃物を挿入可能に前記棒身部から間隔をあけて開いた鉤部を構成することを、特徴とする。
【０００７】
本考案に係る十手型護身用具は、刃物を持った暴漢が襲ってきたとき、柄を持って棒身部または鉤部で刃物を受け、身を守ることができる。本考案に係る十手型護身用具は、引き戸を内側から固定するつっかえ棒としたり、開き戸のドアノブに鉤部を引っ掛けてドア枠側に棒身部を固定してドアを固定したりするのに用いることができる。万が一、室内に侵入された場合には、柄を持って闖入者に対抗することができる。本考案に係る十手型護身用具は、十手本体が金属製であるため、丈夫であり、加熱曲げ加工により、折返し部や鉤部を比較的容易に加工することができる。
【０００８】
本考案に係る十手型護身用具は、前記柄と前記鉤部との境界付近で前記棒身部と前記鉤側部との周囲に鍔が設けられ、前記柄は折り重ねられた前記棒身部と前記鉤側部との間に刃物の刃を弾力的に挟み込むことが可能な挟込み部を有することが好ましい。
【０００９】
この構成において、鍔は、柄を持った手が刃物で傷付けられるのを防ぐ。刃物を棒身部と鉤部との間で受けたとき、棒身部と鉤部との間に挿入された刃物は棒身部と鉤部の内側を滑って挟込み部により刃が弾力的に挟み込まれる。挟込み部に挟み込まれた刃は抜き取りにくいため、柄をひねって刃を折ったり、暴漢に刃物を取り落とさせたりして、暴漢をひるませ、身を守ることができる。このように、受けた刃物を拘束することで、再び襲われる危険性を小さくすることができる。
【００１０】
本考案に係る十手型護身用具は、前記棒身部の先端部に、断面Ｊ字状またはＬ字状に曲げられた孫の手部または薄く広げられた靴べら部を有することが好ましい。この場合、普段は、孫の手や靴べらとして使用することができる。靴べらとして使用するときには、玄関に常備することにより、闖入者に対する備えとしておくことができる。
【００１１】
本考案に係る十手型護身用具において、前記金属棒は異形棒鋼から成り、警笛が取り付けられていることが好ましい。この場合、異形棒鋼は入手しやすいため、材料費を抑えて安価に製造することができる。異形棒鋼は表面に凹凸があるため、その凹凸で鍔を固定しやすくなる。警笛により、襲われたとき警報を鳴らし、助けを求めることができる。
【考案の効果】
【００１２】
本考案によれば、丈夫で製造容易な十手型護身用具を提供することができる。
【図面の簡単な説明】
【００１３】
【図１】（ａ）本考案の実施の形態の十手型護身用具を示す側面図、（ｂ）本考案の実施の形態の十手型護身用具の靴べらの変形例を示す、棒身部の先端部の平面図である。
【考案を実施するための形態】
【００１４】
以下、図面に基づき本考案の実施の形態について説明する。
図１は、本考案の実施の形態の十手型護身用具を示している。
図１（ａ）に示すように、十手型護身用具１は、十手本体２と鍔３と警笛４とを有している。
【００１５】
十手本体２は、１本の金属棒が折り返されて折返し部１１を挟んで細長い棒身部１２と棒身部１２より短い鉤側部１３とを有している。金属棒は、異形棒鋼から成る。棒身部１２の折返し部側と鉤側部１３の折返し部側とが折り重ねられて柄１４を構成している。柄１４は、片手で握りやすいよう片手の幅より長くなっており、一例では、１０ｃｍ〜２０ｃｍの長さが好ましい。柄１４は、折り重ねられた棒身部１２と鉤側部１３との間に、刃物の刃を弾力的に挟み込むことが可能な挟込み部１５を有している。すなわち、刃物の刃が挟込み部１５に入ると、挟込み部１５は、刃が食い込むよう広がり、その弾性力で刃を締め付ける。折返し部１１は、柄１４に比べて丸みを帯びて膨らんでいる。このため、柄１４から手が滑って柄１４が抜けるのを折返し部１１で抑えることができる。
【００１６】
鉤側部１３は、柄１４より先端側で、棒身部１２との間に刃物を挟むことが可能に、棒身部１２から間隔をあけて開いた鉤部１６を構成している。鉤部１６は、柄１４から折れ曲がって先端方向にかけて棒身部１２に対して次第に開くよう傾斜して伸び、中間部で再び折れ曲がって棒身部１２に対して次第に間隔が狭くなるよう傾斜し、さらに途中で折れ曲がって先端まで棒身部１２に対して次第に開くよう傾斜して伸びている。
棒身部１２の先端部には、断面Ｊ字状またはＬ字状に曲げられた孫の手部１７を有している。孫の手部１７は、指を曲げた小さな手の形状をしている。
【００１７】
鍔３は、柄１４と鉤部１６との境界付近で棒身部１２と鉤側部１３との周囲に設けられている。鍔３は、円盤または楕円形状を成し、中央に貫通孔が設けられている。その貫通孔に柄１４が挿入されている。
警笛４は、折返し部１１に紐４ａで取り付けられている。
【００１８】
十手型護身用具１は、以下のようにして製造される。まず、１本の異形棒鋼を、加熱曲げ加工により、一方が長く、他方が短い位置で折り返す。次に、異形棒鋼の両端を鍔３の貫通孔に挿入する。鍔３の貫通孔は、異形棒鋼を折り重ねた径より大きく、折返し部１１の径より小さくなっている。
【００１９】
次に、加熱曲げ加工により、異形棒鋼の短い鉤側部１３を折り曲げ、鉤部１６を形成する。鍔３は、異形棒鋼の表面の凹凸に合わせて、柄１４と鉤部１６との境界付近に位置付ける。棒身部１２の先端部に、加熱曲げ加工により孫の手部１７を形成する。折返し部１５に紐４ａで警笛４を取り付ける。
【００２０】
次に作用について説明する。
十手型護身用具１は、刃物を持った暴漢などが襲ってきたとき、柄１４を持って棒身部１２または鉤部１６で刃物を受け、身を守ることができる。十手本体２は異形棒鋼から成るため、頑丈であり、刃物に十分に対抗できる。十手型護身用具１は、引き戸を内側から固定するつっかえ棒としたり、開き戸のドアノブに鉤部を引っ掛けてドア枠側に棒身部１２を固定してドアを固定したりするのに用いることができる。
【００２１】
万が一、室内に侵入された場合には、柄１４を持って闖入者に対抗することができる。十手型護身用具１は、十手本体２が金属製であるため、加熱曲げ加工により、折返し部１１や鉤部１６を比較的容易に加工することができる。異形棒鋼は入手しやすいため、材料費を抑えて十手型護身用具１を安価に製造することができる。
【００２２】
異形棒鋼は表面に凹凸があるため、その凹凸で鍔３を固定しやすくなる。鍔３は、柄１４を持った手が刃物で傷付けられるのを防ぐ。刃物を棒身部１２と鉤部１３との間で受けたとき、棒身部１２と鉤部１３との間に挿入された刃物は棒身部１２と鉤部１３の内側を滑って挟込み部１５により刃が弾力的に挟み込まれる。挟込み部１５に挟み込まれた刃は抜き取りにくいため、柄１４をひねって刃を折ったり、暴漢に刃物を取り落とさせたりして、暴漢をひるませ、身を守ることができる。このように、受けた刃物を拘束することで、再び襲われる危険性を小さくすることができる。
【００２３】
警笛４により、襲われたとき警報を鳴らし、助けを求めることができる。このように、十手型護身用具１は、護身用具として、優れた効果を有している。また、十手型護身用具１は、棒身部１２の先端部に孫の手部１７を有するので、普段は、孫の手として使用することができる。
【００２４】
なお、図１（ｂ）に示すように、十手型護身用具１は、棒身部１２の先端部に、孫の手部１７の代わりに、薄く広げられた靴べら部１８を有していてもよい。この場合、十手型護身用具１を、普段は、靴べらとして使用することができる。靴べらとして使用するときには、玄関に常備することにより、闖入者に対する備えとしておくことができる。
【００２５】
十手型護身用具１は、折返し部１５に、警笛４の代わりに、房がぶら下げられていてもよい。また、鍔３は、角板状であってもよい。この場合、鍔３を下にし、１６を上にして十手型護身用具１を安定して置くことができる。十手型護身用具１は、このように置いたとき龍の置物のように見え、装飾品として利用することができる。
【符号の説明】
【００２６】
１  十手型護身用具
２  十手本体
３  鍔
４  警笛
１１  折返し部
１２  棒身部
１３  鉤側部
１４  柄
１５  挟込み部
１６  鉤部
１７  孫の手部
１８  靴べら部
【図１】
0003170931.tif 000003